(57)【要約】【課題】人が空き缶潰しに拘束される時間を最も小さくし、操作性、安全性が極めて優れ、収納時に最小となる家庭用の電動空き缶潰し機を提供する。【解決手段】筒状で左右の内と外にレールを持つ、アウターベース、インナーベースに駆動モーター、プーリー、ベルト、上下方向に延びるスクリューネジ、ナットなどを組み合わせ、インナーベースユニットを上下方向に作動させて、スライドフタと排出プレートの間で空き缶を潰し自動的に排出するようにし、排出プレートの下に圧力感知スイッチを取り付け、天井のアッパーカバーに穴を設け、直下のスライドフタと共に缶を受けるようにし、スライドフタには、缶を置いた時に作動する缶作動スイッチを取り付け、最初に空き缶をスライドフタの上に置き作動させた後は自動的に空き缶を潰し、排出、格納するようにしている。【選択図】  図１
2016000418.tif 000002
【特許請求の範囲】
【請求項１】
筒状で底を持ち、インナーベースユニットの上下の作動を円滑に保つアウターレール部を内側の両サイドに持つアウターベースユニットの底の左右に、一対のスクリューネジを回転自在に取り付け、駆動モーターをスクリューネジとスクリューネジの間に配置し、この回転をスクリューネジに伝えるプーリーとベルトをアウターベースユニット内に設け、空き缶を受ける排出プレートを、駆動モーター上側でアウターベースインナー上部の排出穴側に水平方向に回転可能に取り付けるに設定し、筒状のインナーベースユニット上側の天井に、水平方向に作動し、空き缶の挿入口となるスライドフタを設け、外側にアウターレール部に沿うようインナーレール部を持つインナーベースユニットにスクリューネジに勘合させたナットプレートを取り付け、駆動モーターを回転させて、インナーベースユニットを上下作動させ、スライドフタと、排出プレートの間で空き缶を潰し、インナーベース上昇時に、排出プレートを斜めに傾けて、潰した空き缶を外に出すようにした電動空き缶潰し機において、空き缶が排出プレート上にあることを検知する手段を設け、インナーベースユニット天井部のアッパーカバーに、空き缶を受ける穴を設け、その直下のスライドフタとの間で、空き缶を保持するようにし、このスライドフタの上に缶があることを検知する手段を設け、最初に空き缶をスライドフタの上に置き、スライドフタの上に缶があることを検知する手段によって駆動モーターを作動させてインナーベースユニットを上昇させ、最上段でインナーベースユニットを停止させ、スライドフタを開け空き缶を排出プレート上に落下させ、上リミットスイッチにより駆動モーターを逆転させてスライドフタを閉じ、インナーベースユニットを下降させ空き缶を潰し、空き缶が排出プレート上にあることを検知する手段と下リミットスイッチによって最下段で駆動モーターを正転させ、インナーベースユニットを再び上昇させて潰された空き缶を排出させ、最上段でインナーベースユニットを停止させ、スライドフタを開け、上リミットスイッチによって駆動モーターを逆転させて、スライドフタを閉じインナーベースユニットを下降させて、潰された空き缶の有無を、空き缶が排出プレート上にあることを検知する手段で確認し、下リミットスイッチによって、最下段で停止させるという工程を自動的に行うようにしたことを最大の特徴とする、電動空き缶潰し機の工法及びその装置。
【発明の詳細な説明】
【技術分野】
【０００１】
本発明は飲料用の空き缶のスペースを小さくし、リサイクルの効率を高める空き缶潰し機に関する物である。
【背景技術】
【０００２】
従来、飲料用の小型の空き缶潰し機は、リンク、アーム、カムなどの構造で手動もしくは足踏みで作動するものが多く、構造が簡単で安価であるため家庭用としてある程度出回っていた。又電動の空き缶潰し機は大型で大量の空き缶を処理できるため大きな会社やスーパーに置かれて使用されていた。
【０００３】
しかし従来の小型の空き缶潰し機は、手動では力が要るし、足踏みでは缶を取り出すたび腰をかがめていたため面倒であり、操作するスペースも広く取る必要があり広く使用されることはなかった。又電動の大型の空き缶潰し機は操作が楽であるが設置には広い場所がひつようであるため、家庭用としては不向きであった。
【０００４】
この対策として小型モーターで歯車を減速してネジを回してナットを取り付けた中間版を作動させて空き缶をつぶす構造の物もあるが、安全性、操作スペース、大きさ外観の面で、十分とはいえなかった。
又筒状で駆動モーター、ネジ、ナットなどの機構部を内部に組み込んで、上下
に作動させて空き缶を潰すという、安全性、外観、スペースを考慮した物もあるが、安全性、操作性の面で今一歩であった。又天井部にスライドする蓋、後ろ側に排出穴、カバープレートなどを設け、缶を受けるプレートが上下の作動で斜めになって自動的に缶を排出するような、更に安全性、操作性を高めた物もあるが、これでも1つの空き缶を潰すのに、拘束される時間も大きく、又2種類のスイッチを計3回作動させる必要があるなど面倒であるし、誤操作の可能性もあった。
【先行技術文献】
【特許文献】
【０００５】
【特許文献１】特開2000―34329
【特許文献２】特開平9―29493
【特許文献３】特許3872454
【特許文献４】特許4565400
【発明の概要】
【発明が解決しようとする課題】
【０００６】
人が空き缶潰しに拘束される時間を最小にし、面倒なスイッチ操作、又は誤操作をなくし、小型で安全性の高い家庭用の電動の空き缶潰し機を提供することである。
【課題を解決するための手段】
【０００７】
本発明は、筒状のアウターベースサイド１ａの内側にインナーベースユニット２の上下作動を円滑に保つアウターベースレール部１ｎを設け、底にはアウターベースボトム１ｃ、内側にはアウターベースストッパー部１ｄを前後左右の上端に持つアウターベースインナー１ｂを取付け、アウターベースインナーの内側の中央には、出力軸に駆動プーリー５を取り付けた駆動モーター３を取り付け、両外側には受動プーリー６を取り付けた１対のスクリューネジ４を、駆動モーターと共に、ベアリング１４、スペーサープレート１５、ベアリングプレート１６、異形穴ワッシャー１７、ナット１８などでアウターベースボトムに回転可能に取り付け、駆動プーリーと受動プーリーをベルト７で連係しており、アウターベースインナー１ｂの後ろ側にカバーストッパー１３を、上側には水平方向に回転軸を持つ排出プレート１１を、排出シャフト１２で回転可能に取り付けており、この排出プレート下には、排出プレートの上からの圧力を感知する圧力感知スイッチ４１を、アウターベースインナー１ｂの上部内側に取り付けている。又アウターベースサイドの内側には、アウターベースレール部に沿ってインナーベースユニット２を上下方向に導く、インナーベースレール部２ｉを外側に持つ、筒状のインナーベースサイド２ｅを設け、その内側にはインナーベースメインシャフト２ｈを取り付けたインナーベースインナー２ｆを、天井にはインナーベースアッパー２ｇを取付け、インナーベースメインシャフトには、リンクブラケット２２、スクリューナットホルダー２３を回転可能に連結したスライドアーム２１、を回転可能に取付けている。又インナーベースインナーの上側には、スライドフタ２０をインナーベースアッパーとの間に、前後方向に自在に作動で来るよう挟み込み、スライドフタの両サイドの長穴に、スライドアームの先端を回転可能に取り付け、スクリューネジには、スクリューナットプレート８をはめ込み、サイレンサー１０、スペーサー９共にスクリューナットホルダー２３に取り付けている。又インナーベースサイドの後ろ側には、排出穴２ｊを設け、カバーフック２８ｐを持つ排出カバープレート２８を上下方向に自在に動くよう、左右のカバーガイドプレート２９ではさみ、カバースプリング３０で排出穴が閉じる方向に引っ張り保持している。インナーベースインナー２ｆの下側には、インナーベースサイド２ｅに取り付けたアシストプレート２ｍをはめ込み、ストッパープレート２ｋを取り付け、スクリューナットホルダー２３に一方を引っ掛けたアームスプリング２４の他方側をこのストッパープレート２ｋに取り付けている。又インナーベースサイドの内側には、キックプレート２５と上リミットスイッチ３１を取り付け、アウターベースインナーの下側には、下リミットスイッチ３２を取り付け、アウターベースボトムには制御ボックス３５を組み込んだアンダーカバーロアー３３、アンダーカバーアッパー３４を取り付け、インナーベースアッパーには、空き缶を直下のスライドフタ２０との間で保持する穴を持つアッパーカバー２６を設け、スライドフタにはここに空き缶が置かれたことを感知する、缶作動スイッチ４２を取り付けている。
【０００８】
格納時の状態から、空き缶をスライドフタ２０の上に置くと、缶作動スイッチ４２が働き、駆動モーター３が正転し、駆動プーリー５、ベルト７、受動プーリー６、スクリューネジ４に回転が伝えられ、スクリューネジ４に組み込まれたスクリューナットプレート８でインナーベースユニット２は上昇し、上端で、ストッパープレート２ｋがアウターベースストッパー部１ｄに当たってインナーベースユニット２は止まるが、スクリューネジ４にはまだ余裕があるので、スクリューナットホルダー２３に取り付けてあるアームスプリング２４の引っ張り力に反してスクリューナットホルダー２３、リンクブラケット２２を押し上げスライドアーム２１を後方に回転させ、このスライドアーム２１に取り付けてあるスライドフタ２０を後方に移動させ、空き缶を排出プレート上に落下させた後上リミットスイッチ３１が作動し、駆動モーターを逆転させ、アームスプリング２４の引っ張り力によってスライドアーム２１が戻され、スライドフタ２０は閉じ、インナーベースユニット２は下降し、スライドフタ２０の裏側と排出プレート１１の間で空き缶を潰すが、この時スライドフタの下にある圧力感知スイッチ４１を作動させ、下端で下リミットスイッチ３２と共に働き、駆動モーター３を正転させ、インナーベースユニット２を上昇させ、潰した空き缶が排出穴２ｊに近づくタイミングで、カバーフック２８ｐがカバーストッパー１３に当たりカバープレート２８の動きのみ止められ、排出穴２ｊは開き、空き缶が排出できるようになる。これと同時に、キックプレート２５が排出プレート１１を跳ね上げて傾け、潰した空き缶を外に排出する。排出後カバーストッパー１３はカバーガイドフック２９ｒによって反転さし、カバープレート２８はカバースプリング３０の引っ張り力で戻され、排出穴は閉じ、インナーベースユニットは上端でスライドフタ２０を開け停止した後再び上リミットスイッチが働き、駆動モーターを逆転させスライドフタ２０は閉じ、インナーベースユニットは下降していく。しかし今度は空き缶が無く圧力感知スイッチ４１が働かないので、最下段で下リミットスイッチ３２に当たってインナーベースユニットは停止する。このように作業者は最初に空き缶を挿入穴に入れるだけで、空き缶は自動的に潰され、排出され、インナーベースユニットは格納されるので何もする必要はない。又排出口も危険な下降時にはカバーで閉じられているので、安全性も優れている。
【発明の効果】
【０００９】
本発明の電動空き缶潰し機は、最初に空き缶を置くだけで、自動的に作動し、空き缶を潰し、排出し、終われば格納するので、人が空き缶潰しに拘束される時間がわずかで済み、複数の空き缶を、連続的に潰す場合でも、最上段で空き缶が排出プレートの上に落下した後は  作動中のいつでも空き缶をスライドフタの上に置くことが出来、空き缶潰しのサイクルタイムそのものも縮小できる。
又操作ボタンもないので誤操作も無く、誰でも扱うことが出来、小型で安全性も高い。
【図面の簡単な説明】
【００１０】
【図１】本発明の作動を示した斜視図である。
【図２】本発明の格納時(下端)の中央Ａ―Ａの断面図である。
【図３】本発明上昇中の中央Ｂ―Ｂの断面図である。
【図４】本発明上端の中央Ｃ−Ｃの断面図である。
【図５】本発明の格納時(下端)のＤ―Ｄの断面図である。
【図６】本発明上端のＥ−Ｅの断面図である。
【図７】本発明の分解斜視図である。
【図８】本発明と従来の発明の、フォローチャート図を比較したものである。
【図９】本発明と従来の発明の人と装置の動作時間を比較した図である。（1個潰す場合）
【図１０】本発明と従来の発明の人と装置の動作時間を比較した図である。（2個潰す場合）
【図１１】従来の発明の作動を示した斜視図である。
【図１２】従来の発明の分解斜視図である。
【発明を実施するための形態】
【００１１】
空き缶を置くだけで、自動的に又連続的に作動して空き缶を潰し、排出し終われば自動的に収納する、小型で安全性の高い家庭用の電動の空き缶潰し機を提供するという目的を、信頼性の高い構造と最小限の部品点数で実現できた。
【実施例】
【００１２】
図１1は従来発明の分解斜視図であるが、本発明は、図７の分解斜視図に示すように、アウターベースインナー１ｂの上方向内側に圧力感知スイッチ41を取り付け、インナーベースユニット２のアッパーカバー２６には穴を設け、その直下のスライドフタ２０と共に缶を保持するようにしており、スライドフタ20には缶作動スイッチ４２が取り付けている。
【００１３】
図１は本発明の作動を示す斜視図で、使用してないときには（1）の格納時で、最もコンパクトに収まっているが、この位置で空き缶をスレイドフタ２０の上に置くと、インナーベースユニット2は、（2）のように作動上昇し（3）のように最上端で止まり、スライドフタが開き空き缶が中に落下する。又同時に（4）のようにスライドフタが閉じ、インナーベースユニットは下降して空き缶を潰すが、この時、圧力感知スイッチ４１が働き、最下段で反転し、（5）のように潰した空き缶を排出し、最上段まで行き（3）から（4）のように進む。しかし今度は中に空き缶が入ってないので、圧力感知スイッチは働かず（1）の位置でとまり格納状態となる。又作動中でも、空き缶をスライドフタの上に置けば、連続的に空き缶は潰されていく。図2は、本発明の格納時のＡ−Ａ断面を示した図で、圧力感知スイッチ４１、缶作動スイッチ４２、アッパーカバー２６の穴などの位置と形状を示している。図3は、本発明のＢ−Ｂ断面を示した図で、潰された空き缶が排出される様子を示した図です。図4は本発明の最上端でのＣ−Ｃ断面を示した図で、落ちた空き缶の位置を示している。
【００１４】
図9は本発明と従来発明のフローチャートを比べたもので、本発明は、空き缶を置き作動させるという工程を最初に設定しているのが特徴で、その後の工程は自動的に行われるので、時間的に全く拘束されない。又スイッチを押す場合の誤操作（ＡとＢのスイッチ）が全く無いので、誰でも容易に操作できる。
【００１５】
図10は本発明と従来発明の人と装置の動作の時間を実測した比較表で、人の拘束時間は、1個潰す場合最も小さく、本発明は従来発明の約13パーセントになっている。図11は同じ動作の２個を潰す場合で、人の拘束時間は従来発明の30パーセントになっている。又人と装置全体のサイクルタイムも本発明は従来発明の70パーセントになっており、連続して作業すれば、人の拘束時間の割合は少しずつ増加するが、サイクルタイムは変わらないので確実に拘束時間の短縮は図られる。
【産業上の利用可能性】
【００１６】
空き缶を置くだけで、後は自動的に空き缶を潰し、排出し、作業が終われば自動的に格納し、誤操作の可能性も全くないし、小型で安全性も優れているので、家庭のダイニングルーム、飲食店内、食堂、新幹線の車内、飛行機内、事務所などの狭い場所に置け、空き缶のリサイクル効率も上げＣＯ２削減にも寄与するため、広く利用される可能性がある。
【符号の説明】
【００１７】
１    アウターベースユニット(アウターベースサイド、アウターベースインナー、アウターベースボトム、排出プレートなど固定側の総称)
１ａ  アウターベースサイド
１ｂ  アウターベースインナー
１ｃ  アウターベースボトム
１ｄ  アウターベースストッパー部
１ｎ  アウターベースレール部
２    インナーベースユニット（インナーベースサイド、インナーベースインナー、インナーベースアッパーなど可動側の総称）
２ｅ  インナーベースサイド
２ｆ  インナーベースインナー
２ｇ  インナーベースアッパー
２ｈ  インナーベースメインシャフト
２ｉ  インナーベースレール部
２ｊ  排出穴
２ｋ  ストッパープレート
２ｍ  アシストプレート
３    駆動モーター
４    スクリューネジ
５    駆動プーリー
６    受動プーリー
７    ベルト
８    スクリューナットプレート
９    スペーサー
１０  サイレンサー
１１  排出プレート
１２  排出シャフト
１３  カバーストッパー
１４  ベアリング
１５  スペーサープレート
１６  ベアリングプレート
１７  異形穴ワッシャー
１８  ナット
１９  ナットプレート取付けビス
２０  スライドフタ
２１  スライドアーム
２２  リンクブラケット
２３  スクリューナットホルダー
２４  アームスプリング
２５  キックプレート
２５ｓキックスプリング
２６  アッパーカバー
２７  スライドフタカバー
２８  カバープレート
２８ｐカバーフック
２９  カバーガイドプレート
２９ｒカバーガイドフック
３０  カバースプリング
３１  上リミットスイッチ
３２  下リミットスイッチ
３３  アンダーカバーロアー
３４  アンダーカバーアッパー
３５  制御ボックス
３６  格納スイッチ
３７  作動スイッチ
３８  空き缶
３９  リティーニングリング
４０  ビス
４１  圧力感知スイッチ
４２  缶作動スイッチ
【図１】
2016000418.tif 000003
【図２】
2016000418.tif 000004
【図３】
2016000418.tif 000005
【図４】
2016000418.tif 000006
【図５】
2016000418.tif 000007
【図６】
2016000418.tif 000008
【図７】
2016000418.tif 000009
【図８】
2016000418.tif 000010
【図９】
2016000418.tif 000011
【図１０】
2016000418.tif 000012
【図１１】
2016000418.tif 000013
【図１２】
2016000418.tif 000014